(57)【要約】家主又は一般の雑役係が容易に設置できる、電子制御による巻上式日よけ装置を開示する。電動式日よけ装置は、内部電源、モータ、電動式日よけ装置の遠隔制御を可能にする通信システムを含む。１つ以上の電動式日よけ装置は単独又はグループで制御できる。一実施形態の電動式日よけ装置は、エネルギー使用量を減らすために、ゾーン分けされるか又はゾーン分けされていないＨＶＡＣシステムと関連して用いられる。一実施形態の電動式日よけ装置は、標準的な手動制御式の電動式日よけ装置に適合するサイズ及び形状因子をもつように構成される。一実施形態のグループコントローラは、温度調節装置の情報を電動式日よけ装置に提供する構成とされる。一実施形態のグループコントローラは、１つ以上の電動式日よけ装置の動作を調整する中央監視システムと通信する。一実施例において、電動式日よけ装置の内部電源は太陽電池によって充電される。【選択図】図５
2008531879.tif 000002
【特許請求の範囲】
【請求項１】
電子制御される電動巻上式の日よけ装置であって、
コントローラと、
前記コントローラに対して設けられた管状モータであって、シェード材を上下させるように構成した管状モータと、
前記コントローラに対して設けられた第１の電源と、
前記コントローラに対して設けられた双方向性の無線通信システムと、を備え、前記コントローラがグループコントローラから受け取る無線通信に応答してモータを制御するように構成され、前記グループコントローラにより昼間には所望の室温を現出させ、夜間にはプライバシーを保護するために電動シェードを開閉させるように構成された、電子制御される電動式日よけ装置。
【請求項２】
光センサを更に備える、請求項１に記載の電子制御される電動式日よけ装置。
【請求項３】
温度センサを更に備える、請求項１に記載の電子制御される電動式日よけ装置。
【請求項４】
第２の電源を更に備える、請求項１に記載の電子制御される電動式日よけ装置。
【請求項５】
前記第１の電源を充電するように構成した太陽電池を更に備える、請求項１に記載の電子制御される電動式日よけ装置。
【請求項６】
シェード位置センサを更に備える、請求項１に記載の電子制御される電動式日よけ装置。
【請求項７】
前記管状モータの回転数を計数するために回転数カウンタを更に備える、請求項１に記載の電子制御される電動式日よけ装置。
【請求項８】
前記コントローラが閾値テストに従ってセンサデータを送信するように構成された、請求項１に記載の電子制御される電動式日よけ装置。
【請求項９】
前記閾値テストが高閾値レベルを含む、請求項８に記載の電子制御される電動式日よけ装置。
【請求項１０】
前記閾値テストが低閾値レベルを含む、請求項８に記載の電子制御される電動式日よけ装置。
【請求項１１】
前記閾値テストが内側の閾値範囲を含む、請求項８に記載の電子制御される電動式日よけ装置。
【請求項１２】
前記閾値テストが外側の閾値範囲を含む、請求項８に記載の電子制御される電動式日よけ装置。
【請求項１３】
前記コントローラが、状況報告の間隔を変更する指令を受信するように構成された、請求項１に記載の電子制御される電動式日よけ装置。
【請求項１４】
前記コントローラが休止解除の間隔を変更する指令を受信するように構成された、請求項１に記載の電子制御される電動式日よけ装置。
【請求項１５】
グループコントローラが１つ以上の電子制御される電動式日よけ装置の状態を監視するように構成された、請求項１に記載の電子制御される電動式日よけ装置。
【請求項１６】
前記グループコントローラが冷暖房空調システムに対して設けられた、請求項１５に記載の電子制御される電動式日よけ装置。
【請求項１７】
前記グループコントローラが中央制御装置に対して設けられた、請求項１５に記載の電子制御される電動式日よけ装置。
【請求項１８】
前記中央制御装置が家庭用コンピュータに対して設けられた、請求項１７に記載の電子制御される電動式日よけ装置。
【請求項１９】
前記中央制御装置が冷暖房空調システムに対して設けられた、請求項１７に記載の電子制御される電動式日よけ装置。
【請求項２０】
前記中央制御装置が、ゾーンに分けられた冷暖房空調システムに対して設けられた、請求項１７に記載の電子制御される電動式日よけ装置。
【請求項２１】
前記中央制御装置が、ゾーンに分けられた冷暖房空調システムと協働し、電動式日よけ装置を使用して所望のゾーンの温度を部分的に制御する、請求項２０に記載の電子制御される電動式日よけ装置。
【請求項２２】
前記無線通信システムが無線周波数通信を用いて通信する、請求項１に記載の電子制御される電動式日よけ装置。
【請求項２３】
前記無線通信システムが周波数ホッピングを用いて通信する、請求項１に記載の電子制御される電動式日よけ装置。
【請求項２４】
前記無線通信システムが９００メガヘルツ帯を用いて通信する、請求項１に記載の電子制御される電動式日よけ装置。
【請求項２５】
前記電源の出力が低い場合に、低電力状態を示すための視覚表示部を更に備える、請求項１に記載の電子制御される電動式日よけ装置。
【請求項２６】
前記コントローラが、制御プログラムを算定するための予測モデルを使用するように構成された、請求項１に記載の電子制御される電動式日よけ装置。
【請求項２７】
前記制御プログラムが、前記管状モータによる電力消費量を低減させるように構成された、請求項２６に記載の電子制御される電動式日よけ装置。
【請求項２８】
前記制御プログラムが、前記管状モータの移動量を低減させるように構成された、請求項２６に記載の電子制御される電動式日よけ装置。
【請求項２９】
前記電動式日よけ装置用の制御プログラムを算定するための予測モデルを使用するように構成したグループコントローラを更に備える、請求項１に記載の電子制御される電動式日よけ装置。
【請求項３０】
前記制御プログラムが、前記電動式日よけ装置による電力消費量を低減させるように構成された、請求項２９に記載の電子制御される電動式日よけ装置。
【請求項３１】
前記制御プログラムが、前記管状モータの移動量を低減させるように構成された、請求項２９に記載の電子制御される電動式日よけ装置。
【請求項３２】
前記コントローラが、グループコントローラにセンサデータを送信するように構成された、請求項１に記載の電子制御される電動式日よけ装置。
【請求項３３】
前記シェード材が前記コントローラに対して設けられた複数の導電体を備える、請求項１に記載の電子制御される電動式日よけ装置。
【請求項３４】
前記グループコントローラが、前記コントローラに対して現在の室温データを送るように構成された、請求項３３に記載の電子制御される電動式日よけ装置。
【請求項３５】
前記コントローラに室温の勾配データを送信するように構成したグループコントローラを更に備える、請求項１に記載の電子制御される電動式日よけ装置。
【請求項３６】
遠隔制御インターフェース部を更に備える、請求項１に記載の電子制御される電動式日よけ装置。
【請求項３７】
居住者検出用センサを含むグループコントローラを更に備える、請求項１に記載の電子制御される電動式日よけ装置。
【請求項３８】
前記シェード材が太陽電池を備える、請求項１に記載の電子制御される電動式日よけ装置。
【発明の詳細な説明】
【技術分野】
【０００１】
本発明は、電動式日よけ装置に関する。
【背景技術】
【０００２】
巻き上げ式の日よけ（シェード）は周知である。この日よけは、窓の前面において手動で上下に動かすことができ、光量、室温、日当たりを制御し、又はプライバシーを保護することができる。周知の巻き上げ式日よけは、比較的安価であって設置が簡単である。日よけが損傷した場合には、新しい日よけと簡単に交換できる。この種の日よけは、全米の小売店又はホームセンターで販売されている。日よけは通常、３フィート幅、４フィート幅、５フィート幅、６フィート幅でストックされている。日よけは、販売時又は設置時に、切断器具で簡単に適切な幅にカットできる。設置者又は家主は、日よけの測定と設置を同じ場所で行うことができる。
【０００３】
従来の巻き上げ式日よけは、第１のピン端部と、外向きに延びる長方形状の係止部を有する第２のバネ端部とを有する。ピン端部はブラケットの円孔に挿入される。バネ端部は、同様の形状をしたブラケットに取り付けられ、該ブラケットは係止部が回転しないように構成したスロットをもつ。このブラケットは、窓枠に、つまり、わき柱内又は窓枠の外側に沿って取り付けられるように構成される。使用者は、シェード材が所望の量になるまで、巻き上げ式日よけをその下端に沿って配された縁部バーで引き下げる。そして、使用者は、日よけのバネ端部の歯止め機構が日よけを所定位置にロックするまでの間、縁部バーを緩める。日よけが引き下げられると、バネが巻き上がる。
【０００４】
使用者が日よけを上げたい場合、使用者は縁部バーをわずかに引き下げて歯止め機構の係合を解除し、その後に、バネが布地を引き上げる際に縁部バーを上方にガイドする。日よけが上方に移動する際に使用者が日よけから手を離すと、日よけのバネにより、日よけは制御不能となって上方に移動することになる。縁部バーは、ローラが停止するまで、その周りを回転し続ける。多数の日よけを同じ相対位置に設置することは、とても時間のかかる作業である。手動操作式の日よけは、時計、光センサ、居住者センサ又は携帯型赤外線送信機からの入力を受け付けることができない。
【０００５】
遠隔操作で日よけを巻くことや展開すること（開閉）ができるように、上記バネ機構をモータ、通常は管状モータで置き換えることは周知である。これらのシステムの設置には、通常、熟練した職人が必要となる。設置者は普通、窓を測るために１度訪問し、システムを設置するために再度訪問しなければならない。あるシステムでは、日よけの底部にある縁部バーが窓の開口部の横に固定された溝に沿って移動し、これにより日よけを広げたときに窓から入る光の量を減らすことができる。モータは、通常、線間電圧又は低電圧の配線で近くの電源に接続される。
【０００６】
電動式のローラ日よけは通常、２つの取り付けブラケットで窓の開口部に固定される。単一のローラ日よけは、布地の選択に合わせたオーダーメイドとされる。モータは工場でローラチューブ内に設置され、線間電圧又は低電圧の配線でモータを近くの電源に接続する。装置が故障した場合、通常、該装置をその製造業者に戻すか、又は技術者が現場に行かねばならない。
【０００７】
多数の装置を互いに配線で繋ぐか又は共通の制御システムに配線することにより、この多数の装置をグループ化できる。このような配線の設置は、ほとんどの家主の能力を超えるものであり、従って、装置の設置についてはプロの設置者が行うことを要する。
【発明の開示】
【発明が解決しようとする課題】
【０００８】
先行技術の機器は一般に、数多くの不利益を抱えており、他の機器と通信する能力がなく、また、例えばマイクロプロセッサによる高度な制御を欠き、よって簡単にプログラムができず、サイズが大きいため設置が困難であって、外観が魅力的ではないことや、メンテナンスに問題があり、また既存の手動操作の日よけに対して簡単に後付けできないといった不利益がある。これらの問題は、電動による巻き上げ式日よけの市場を著しく制限してきた。
【課題を解決するための手段】
【０００９】
本明細書に開示するシステム及び方法は、遠隔制御可能な、電源内蔵型の、使用者により設置可能な電動式日よけ装置を提供することにより、これらの問題及びその他の問題を解決する。一実施形態において、電動巻き上げ式日よけは、コントローラと、このコントローラに設けられた管状モータを含む。管状モータは、日よけを上下させるように構成される。第１の電源がコントローラに対して設けられ、このコントローラには双方向性の無線通信システムが設けられている。コントローラは、グループコントローラ又は中央制御システムから受信する無線通信に応答してモータを制御するように構成される。電動式日よけ装置は、昼間に所望の室温をもたらし、夜間にはプライバシーを保護するために使用できる。
【００１０】
一実施形態において、電子制御される電動式日よけ装置は光センサを含み、一実施形態において、電子制御される電動式日よけ装置は温度センサを含み、一実施形態において、電子制御される電動式日よけ装置は第２の電源を含み、一実施形態において、電子制御される電動式日よけ装置は第１の電源を充電するように構成した太陽電池を含み、一実施形態において、電子制御される電動式日よけ装置はシェード位置センサを含み、一実施形態において、電子制御される電動式日よけ装置は、管状モータの回転数を計数する回転数カウンタを含む。
【００１１】
一実施形態において、コントローラは、閾値テストに従ってセンサデータを送信するように構成され、一実施形態において、閾値テストは、高閾値レベル、低閾値レベル、及び／又は閾値範囲を含む。
【００１２】
一実施形態において、コントローラは、状況報告の間隔を変更する指令を受信するように構成され、一実施形態において、コントローラは、休止解除の間隔を変更する指令を受信するように構成され、一実施形態において、コントローラは、１つ以上の電子制御される電動式日よけ装置の状態を監視するように構成される。
【００１３】
一実施形態において、コントローラは、中央制御装置と通信するように構成され、一実施形態において、中央制御装置はＨＶＡＣシステムと通信する。一実施形態において、中央制御装置は家庭用コンピュータに対して設けられており、一実施形態において、中央制御装置はゾーン型ＨＶＡＣシステムに対して設けられている。一実施形態において、中央制御装置はゾーン型ＨＶＡＣシステムと協働して、電動式日よけ装置を用いて所望のゾーンの温度を部分的に制御する。
【００１４】
一実施形態において、コントローラは予測モデルを用いて制御プログラムを算出するように構成される。一実施形態において、コントローラは、管状モータによる電力消費量を低減させるように構成され、一実施形態において、コントローラは、管状モータの移動量を低減させるように構成される。
【００１５】
一実施形態において、グループコントローラは、予測モデルを用いて電動式日よけ装置用の制御プログラムを算定するように構成され、一実施形態において、グループコントローラは、電動式日よけ装置による電力消費量を低減させるように構成され、一実施形態において、グループコントローラは、電動式日よけ装置の移動量を低減させるように構成される。
【００１６】
一実施形態において、シェード材は、コントローラに設けられた複数の導電体を含み、一実施形態において、シェード材は、充電部をコントローラに接続して電源を再充電するための電力を供給するコネクタを含み、一実施形態において、シェード材は太陽電池を含む。
【００１７】
一実施形態において、電動式日よけ装置システムは、家主又は一般の雑役係が容易に設置可能であり、一実施形態において、電動式日よけ装置システムは、ゾーン型又は非ゾーン型のＨＶＡＣシステムをともに用いて、建物内の室温を制御することができる。電動式日よけ装置はまた、従来のゾーン型ＨＶＡＣシステムとともに用いられ、従来のゾーン型ＨＶＡＣシステムによって提供されない追加的制御及び追加的ゾーンを提供できる。電動式日よけ装置は、従来の手動制御の窓処理に代わって設置することができる。
【００１８】
一実施形態において、電動式日よけ装置は、建物の内又は外の周辺光を測定する光センサを含み、一実施形態において、光が第１の指定値を超えると電動式日よけ装置が開き、一実施形態において、光が第２の指定値を超えると電動式日よけ装置が閉じ、一実施形態において、電動式日よけ装置は、建物の一部において比較的一定の光量レベルを維持するために、部分的に開くか又は閉じるように構成される。
【００１９】
一実施形態において、電動式日よけ装置は内蔵バッテリにより作動する。電動式日よけ装置におけるバッテリ低下の表示部は、バッテリ交換が必要な場合にこれを家主に通知する。一実施形態において、光が利用可能なときにバッテリを再充電する１つ以上の太陽電池が設けられる。
【００２０】
一実施形態において、ゾーン内の１つ以上の電動式日よけ装置は、グループコントローラと通信する。グループコントローラは、そのゾーンを制御する電動式日よけ装置の全てについてゾーンの温度を測定する。一実施形態において、電動式日よけ装置とグループコントローラとは、例えば、赤外線通信、ラジオ周波数通信、超音波通信等の、無線通信方法により通信する。一実施形態において、電動式日よけ装置とグループコントローラは、有線接続により直接通信する。一実施形態において、電動式日よけ装置とグループコントローラは、電力線通信を用いて通信する。
【００２１】
一実施形態において、１つ以上のグループコントローラは、中央制御装置を介して通信する。
【００２２】
一実施形態において、電動式日よけ装置及び／又はグループコントローラは、例えば、赤外線センサ、動き検出用センサ、超音波センサ等の、居住者検出用センサを含む。居住者は、ゾーンに人がいるときにゾーンの温度を異なる温度にするため、又はゾーンに人がいるときに（例えば、日よけを閉じることにより）プライバシーを保護するために、電動式日よけ装置又はグループコントローラをプログラムすることができる。一実施形態において、居住者は、１日のうちの時刻、１年のうちの時期、部屋の種類（例えば、寝室、台所等）、及び／又はゾーン内に人がいるか否かに応じて、ゾーン内の温度及び／又は光量レベルを異なる温度にするため、電動式日よけ装置又はグループコントローラをプログラムすることができる。一実施形態において、複合ゾーン（例えば、家全体、階全体、棟全体等のゾーン群）の各種電動式日よけ装置及び／又はグループコントローラは、複合ゾーン内に人がいるか否かによって温度設定を相互に通信し合い、温度設定を変更する。一実施形態において、家の居住者は、ゾーン内に人がいるか否か、１日のうちの時刻、１年のうちの時期等に基づいてゾーンの優先スケジュールを定めることができる。従って、例えば、ゾーンＡが寝室に対応し、ゾーンＢが居間に対応する場合、ゾーンＡの日中の優先度を相対的に低くし、夜間の優先度を相対的に高くすることができる。第２の例として、ゾーンＣが１階に対応し、ゾーンＤが２階に対応する場合に、ゾーンＤの夏期における優先度を相対的に高くし（上の階の方が冷え難いため）、冬期における優先度を相対的に低くする（下の階の方が暖まり難いため）ことができる。一実施形態において、居住者は、各種ゾーンの間で重み付けした優先度を指定できる。
【発明を実施するための最良の形態】
【００２３】
図１は、冷暖房用の配管と家屋の各面に窓を有する家１００を示す。例えば、家１００は、北向きの窓１５０、１５１と、東向きの窓１８０と、南向きの窓１６０、１６１と、西向きの窓１７０とを含む。家１００において、ＨＶＡＣ（冷暖房空調）システムは、加熱した空気及び冷気を窓システムに提供する。従来のシステムでは、温度調節装置が空気温度を監視し、ＨＶＡＣシステムを作動させ、又はこれを停止させる。ゾーン分けを行ったシステムでは、センサ１０１乃至１０５が、家中の様々なエリア（ゾーン）の温度を監視する。ゾーンは、部屋、階、一群の部屋等であってもよい。これらのセンサ１０１乃至１０５は、いつどこで冷房又は暖房が必要であるかを検知する。センサ１０１乃至１０５からの情報は、様々なゾーンへの空気の流れを調整するモータの制御に用いられる。ゾーン型システムは、他のエリアに影響を与えることなく１つのエリアの状態を変更するように構成される。例えば、多くの２階建て家屋は階により区分けされる。２階は通常、温度が高くなるため、１階に比べて夏期には一層の冷房が必要となり、冬期にはさほど暖房を必要としない。ゾーン分けしていないシステムは、このような季節的変化を充分に許容することができない。しかしながら、ゾーン分けは、必要とする空間にのみ冷房又は暖房を行うことにより、階同士の温度差が大きくならないように低減できる。
【００２４】
図２には、電動式日よけ装置２００の一例を示す。シェード材２０１はチューブ２０２に巻き付けられている。モータ（図示しない）はチューブ２０２を回転させて、シェード材２０１を上下させ、窓を通過する光の量を制御する。チューブ２０２は窓枠２５０（又はその近傍）に取り付けられる。
【００２５】
図３は、電動式日よけ装置２００の一実施形態としての自給型の電動式日よけ装置のブロック図である。図３に示す電動式日よけ装置では、マウント部３０１によって、チューブ２０２を窓枠２５０（又は窓枠２５０の近傍）に取り付ける。チューブ２０２は、コントローラ３０１を含む。このコントローラ３０１は、通信、電力管理、及びその他の制御機能のための制御を提供する。モータ３０３、例えば変速機付きの管状モータ等が、コントローラ３０１に対して設けられる。一実施形態において、モータ３０１は、モータの回転を制限して停止点を設定するために、内部の回転数カウンタ及びリミットスイッチを含む。一実施形態において、コントローラ３０１に対して、回転数カウンタ３０４が設けられる。コントローラ３０１に対して、第１の電源３０５が設けられる。一実施形態において、第１の電源３０５はバッテリのスタックを含む。一実施形態では、バッテリが充電可能なバッテリである。また一実施形態において、バッテリは充電可能でないバッテリである。
【００２６】
無線周波数の送受信機３０２が、コントローラに対して設けられる。一実施形態では、コントローラ３０１に対して、赤外線（ＩＲ）検出式及び／又は光検出式の受信機が設けられる。一実施形態では、光ガイド装置３６０が設けられて、光をＩＲ受信機３０８に向ける。この光ガイド装置３６０には、例えば、光ファイバー、ミラー、プラスチック製光導波路等が挙げられる。一実施形態において、マウント部３０１には、光ガイド装置３６０の少なくとも一部分が設けられて、赤外光をチューブ２０２及び／又はＩＲ受信機３０８へと反射させる（又は偏向させる）。
【００２７】
一実施形態では、コントローラ３０１に対して、任意選択によりコンデンサ３０６が設けられる。コントローラ３０１は、電力を比較的ゆっくりと第１の電源３０５から取り出すか、及び／又は比較的低い電圧で第１の電源３０５から電力を取り出してコンデンサ３０６を充電することにより、第１の電源３０５の使用時間を延ばすことができる。一実施形態では、コントローラ３０１、送受信機３０２、及び／又はモータ３０３への電力供給のために、コンデンサ３０６は、その少なくとも一部が用いられる。
【００２８】
一実施形態において、コントローラ３０１には、太陽電池３０７が設けられる。一実施形態において、コントローラ３０１には、ＲＦＩＤタグ３０９が設けられる。
【００２９】
一実施形態では、ＩＲ受信機３０８を用いて、コントローラ３０１への制御入力を行う。また一実施形態では、ＲＦ制御の代わりにＩＲ制御を用いることで、ＲＦ送受信機３０２が省略される。一実施形態において、ＩＲ受信機３０８は、電動式日よけ装置とコントローラとの間の双方向ＩＲ通信が可能な送受信機として構成される。また一実施形態では、コントローラ３０１のプログラム（例えば、識別コードの挿入又は読み取り用）にＩＲ制御が用いられ、ブラインドの上げ下げにＲＦ制御が用いられる。
【００３０】
１つ以上の取付部３５０は、シェード材２０１をローラチューブ２０２に取り付けるために設けられている。一実施形態では、取付部３５０がチューブ２０２の溝を有し、シェード材２０１の上端がこの溝に嵌って所定位置に保持されるように構成される。また一実施形態では、取付部３５０が１つ以上の接着部を含む。一実施形態において、取付部３５０はシェード材上にクランプする１つ以上の保持具を含む。
【００３１】
一実施形態において、シェード材２０１は、例えば１つ以上の導電体（ワイヤ、金網、金属箔、導電性ポリマー等）を含む。一実施形態では、取付部３５０の１つ以上が、シェード材２０１内の１つ以上の導体と電気的に接触するように構成される。一実施形態において、シェード材２０１内の１つ以上の導体には、電源コネクタが設けられ、電源（例えば、バッテリチャージャ）を電動日よけに接続してバッテリ３０５を再充電できるようにする。一実施形態において、電源コネクタは、シェード材の下部に設けられる。一実施形態では、シェード材の１つ以上の導体が、例えば、太陽電池（例えば、図４ｂ参照）、ピックアップコイル（例えば、図１０参照）等の、電源との接続部を提供する。
【００３２】
一実施形態において、チューブ２０２はアルミニウム又はその他の導電材料からなり、スロット型のＲＦ開口部がチューブ２０２に設けられてＲＦ送受信機３０２を通信可能にする。一実施形態では、マウント部３０１にＲＦ送受信機３０２からのＲＦアンテナ接続部が設けられ、マウント部及び／又はフェーシアがアンテナ又はアンテナの一部として機能できる。一実施形態において、チューブ２０２にはＲＦ送受信機からのＲＦアンテナ接続部が設けられ、チューブ２０２がアンテナ又はアンテナの一部として機能できる。一実施形態では、シェード材の１つ以上の導体３０１にＲＦ送受信機３０２からのＲＦアンテナ接続部が設けられ、１つ以上の導体がアンテナ又はアンテナの一部として機能できる。
【００３３】
コントローラ３０１は通常、節電のために、スリープ（休止）−ウェイクアップ（覚醒）のサイクルで動作する。コントローラ３０１は、指定の間隔で休止解除され、遠隔制御部若しくはその他の制御機器からのコマンドを受信し、又はステータス情報（例えば、故障、バッテリ電圧低下等）を送信するために、送受信機３０２を作動させる。
【００３４】
図４Ａは、電動式日よけ装置の一実施形態のブロック図であり、マウント部３０１に設けた太陽電池４０４を含む、電動式日よけ装置２００を例示する。一実施形態において、マウント部３０１は図５に示すフェーシアを含み、太陽電池４０４は日光を受光するために、フェーシアの外部に取り付けられる。図４Ａに示す電動式日よけ装置は、チューブ２０２、コントローラ３０１、モータ３０３、送受信機３０２等、図３に示した他の要素を含む。
【００３５】
図４Ｂは、電動式日よけ装置の一実施形態のブロック図であり、シェード材２０１に設けた太陽電池５０４を含む、電動式日よけ装置２００を例示する。太陽電池５０４は、シェード材２０１に取り付けることができ、及び／又はシェード材２０１に一体化してもよい。太陽電池５０４をシェード材２０１に設ける場合に、取付部３５０の１つ以上は、コントローラ３０１と太陽電池５０４とを電気的に接触させるように構成される。
【００３６】
図５は、フェーシア５０２に設けた太陽電池４０４を有する電動式日よけ装置の一実施形態を示す。図５に示すように、太陽電池４０４及び５０４は互いに排他的でなく、必要であれば一緒に使用できる。
【００３７】
図６は、１つ以上の電動式日よけ装置２００を制御するシステムのブロック図である。システム６００によって、電動式日よけ装置２００をグループ内で制御できる（１つのグループは１つの電動式日よけ装置でもよいし、また複数の電動式日よけ装置からなってもよい）。図６には、電動式日よけ装置の５グループを示し、それぞれグループ６５０乃至６５４で示している。各グループ６５０乃至６５２は３つ以上の電動式日よけ装置を有しており、グループ６５３は２つの日よけ装置を有し、グループ６５４は１つの電動式日よけ装置を有する。１つ以上のグループコントローラ６０７、６０８は、１つ以上の日よけのグループを制御するために使用できる。グループコントローラ６０７、６０８は、携帯型の遠隔制御機器及び／又は壁付型コントローラとすることができる。中央制御システム６０１は、プロセッサ６０３と、時計／カレンダーモジュール６０４と、ＲＦ送受信機６０２を含む。一実施形態において、中央制御システム６０１は、ゾーン分けされるか又はゾーン分けされないＨＶＡＣシステムとのＨＶＡＣインターフェース部に対して設けられる。また一実施形態では、制御システム６０１に対して日光センサ６１０が設けられる。一実施形態において、日光センサ６１０は太陽光の量を検出する。一実施形態において、日光センサ６１０は太陽光の量及び方向を検出する。
【００３８】
家屋内の様々な部屋、例えば、寝室、台所、居間等には、１つ以上のグループコントローラ６０７、６０８を設けることができる。一実施形態において、コントローラ６０７、６０８は、家屋内の任意の日よけ装置を制御するために使用できる。一実施形態では、グループコントローラ６０７、６０８のディスプレイによって、使用者が日よけグループのリストから制御しようとする日よけのグループのいずれかを選択できる。
【００３９】
コンピュータシステム（例えば、パーソナルコンピュータシステム）に対して中央制御システム６０１が、例えば、ＵＳＢインターフェース、ファイヤーワイヤーインターフェース、有線式ローカルエリアネットワーク（ＬＡＮ）インターフェース、無線式ローカルエリアネットワークインターフェース、電力線ネットワークインターフェース等の、インターフェース６０５を介して設けられる。コンピュータシステム６０６は、中央制御システム６０１のプログラム及び監視や、制御システム６０１に、電動式日よけ装置の数、日よけの識別コード、日よけ装置の場所、所望のプライバシーの程度、ＨＶＡＣシステムとの対話方法等について指示するために用いることができる。例えば、窓が道路や公共の場に面している場合に、コンピュータシステム６０６は、中央制御システム６０１にその窓について相対的に高いレベルのプライバシー保護を与えるよう指示するために使用できる。これに対して、窓が木々や茂みに面している場合に、コンピュータシステム６０６は、中央制御システム６０１にその窓について相対的に低いレベルのプライバシー保護を与えるよう指示するために使用できる。一実施形態において、電動式日よけ装置に対応する各窓のコンパス方位（例えば、南向き、北西向き、窓が向いている方位のコンパス角等）が中央制御システム６０１に与えられる。従って、例えば、制御システム６０１は南向きの窓が北向きの窓よりも相対的に多く日光を受けることを知る。中央制御システム６０１は、南向きの窓の日よけを閉めることができ、これは冷房を少なくして日光によるカーペットや家具の退色を低減するためである。あるいは、中央制御システム６０１は、寒冷期の暖房負荷を低減するために、南向きの窓の日よけを上げることができる。一実施形態において、中央制御システム６０１は、昼間に日光をとり入れるために、電動式日よけを上げることができ、プライバシー保護のために夜間は電動式日よけを下ろすことができる。一実施形態において、中央制御装置６０１は、所望の光量をとり入れるために、電動式日よけ装置を部分的に開閉できるように構成される。一実施形態では、中央制御装置６０１が、外観を美しく見せる目的で、特定のグループの日よけを同程度に開閉できるように構成される。
【００４０】
一実施形態において、グループコントローラ６０７、６０８は、１つ以上の電動式日よけ装置のグループを制御するために使用できる。一実施形態において、グループコントローラ６０７、６０８は、電動式日よけ装置に制御信号を直接送信する。一実施形態では、グループコントローラ６０７、６０８が、中央制御装置６０１に制御信号を送信し、該中央制御装置６０１はその後に制御信号を電動式日よけ装置２００に送信する。
【００４１】
電動式日よけ装置２００は、電動式日よけ装置システムを実施するために使用できる。また、電動式日よけ装置２００は、窓が壁の高い位置にあって簡単に届かない場所では、遠隔制御による電動式日よけ装置として用いることができる。一実施形態において、電動式日よけ装置２００は、電源内蔵型とされ、無線通信により制御される。このことは、１つ以上の手動による窓処理を電動式日よけ装置２００で置き換えることにより、家に後付けする作業を大幅に簡素化する。
【００４２】
コントローラ３０１は、モータ３０３を制御する。一実施形態において、モータ３０３は、コントローラ３０１に位置フィードバックを提供する。一実施形態では、コントローラ３０１が、日よけの位置を中央制御システム６０１及び／又はグループコントローラ６０７、６０８に報告する。モータ３０３は、窓を通る光を制御するために、機械的運動をもたらす。一実施形態において、モータ３０３には、電動式日よけ装置４００を通過する光の量（例えば、窓から部屋へ入り込む光の量）を制御するモータが挙げられる。一実施形態では、システム６０１により、使用者が所望の室温及び／又は照明を設定できる。コントローラ３０１に対して、任意選択的にセンサ４０４が設けられる。
【００４３】
一実施形態において、電動式日よけ装置２００は、電源３０５からの利用可能な電力が閾値レベル未満に低下した場合に点滅する表示部（例えば、点滅するＬＥＤ又はＬＣＤ）を含む。
【００４４】
家の居住者は、グループコントローラ６０７、６０８又はコンピュータ６０６を用いて、電動式日よけ装置２００の近辺での、所望の温度、プライバシー、又は照明を設定する。室温が設定温度よりも高く、かつ窓明かり部の温度が室温よりも低い場合に、コントローラ３０１により、電動式日よけ装置２００はその日よけを開ける。室温が設定温度よりも低く、かつ窓明かり部の温度が室温よりも高い場合には、コントローラ３０１により、電動式日よけ装置２００が窓を開ける。そうでない場合には、コントローラ３０１は電動式日よけ装置２００に日よけを閉じさせる。換言すれば、室温が設定温度よりも高いか又は低い場合であって、窓明かり部の温度が室温を設定温度へと接近させる傾向をもつ場合に、コントローラ３０１は窓を開けて光を部屋にとり込めるようにする。これに対して、室温が設定温度よりも高いか又は低い場合であって、窓明かり部の温度が室温を設定温度に近づける傾向をもたない場合には、コントローラ３０１が窓を閉める。
【００４５】
一実施形態において、コントローラ３０１は、ある程度のヒステリシス（温度調節装置の不感帯と称することが多い）を設定温度の近辺で与えるように構成されるが、これは、窓の開閉が過度に行われることによる電力の無駄を回避するためである。
【００４６】
コントローラ３０１は、使用していない電動式日よけ装置４００の構成要素への電源供給を断つことで節電する。コントローラ３０１は、電源３０５、３０６からの利用可能な電力を監視する。利用可能な電力が低電力閾値未満に低下すると、電動式日よけ装置２００はこれを中央制御装置６０１に通知する。コントローラが、（例えば、１つ以上の電源の再充電による）十分な電力の回復を検出すると、コントローラ３０１は通常動作を再開する。
【００４７】
一実施形態において、複数の電動式日よけ装置２００は、システム内の通信のロバスト性を高めるため、互いに通信する。従って、例えば、第１の電動式日よけ装置はグループコントローラ６０１と通信できないが、第２の電動式日よけ装置２００と通信できる場合に、この第２の電動式日よけ装置２００が第１の電動式日よけ装置２００とグループコントローラ６０１との間のリピータ（中継装置）としての機能を果たすことができる。
【００４８】
図６に示す電動式日よけ装置システムは、ゾーン型又は非ゾーン型のＨＶＡＣシステムとともに使用できる。例えば、冬期にシステム６００は、天気のよい日に南向きの窓の日よけを開けて、ある程度の太陽熱を得るために用いることができる。これに対して、冬期にシステム６００は、熱損失を低減しプライバシーを保護するため、夕方、窓の日よけを閉じるのに使用できる。例えば、夏期にシステム６００は、天気のよい日に南向きの窓の日よけを閉じて太陽熱を低減するのに使用できる。これに対して、夏期にシステム６００は、熱を放射する（冷房負荷を低減する）ため、夕方、窓の日よけを開けるのに使用できる。
【００４９】
システム６００を用いて、家主は、日よけ装置の各グループについて、光、温度、プライバシーの相対的な優先度を選択できる。相対的な優先度は、１週間のうちの曜日、１日のうちの時刻、１年のうちの時期等に基づいて調整することができる。一実施形態において、家主が家にいるか又は家を離れているかに基づいて相対的な優先度（例えば、温度、プライバシー、光）を変更する強制（オーバーライド）スイッチ（図示しない）がシステム６００に設けられる。従って、例えば、家に不在の場合、家主はシステム６００に指示を与えて、プライバシー保護のレベルを最小にして、ＨＶＡＣの効率を最大にすることができる。これに対して、在宅の場合、家主はシステム６００に指示を与えて、プライバシー保護を相対的に高めるように異なる優先度を用いることができる。
【００５０】
一実施形態において、使用者は、コンピュータシステム６０６を用いて、家屋内の各日よけグループについて、相対的な所望のプライバシー、温度、光量レベル、及び、プライバシーと温度と光の相対的な優先度を指定することができる。一実施形態において、この設定は、１週間のうちの曜日及び／又は１日のうちの時刻及び／又１年のうちの時期等に従った設定マトリクスとして指定できる。
【００５１】
一実施形態では、使用者がコンピュータシステムを用いて各種の「プロファイル」を生成することができる。従って、例えば、使用者は、プライバシー用プロファイル、夏用プロファイル、朝用プロファイル、夕方用プロファイル、デフォルトプロファイル、標準プロファイル、冬用プロファイル等を生成できる。従って、例えば、使用者はプライバシー用プロファイルを生成することができ、この場合、日よけ制御システムの各種設定が、プライバシー保護を相対的に高めるように調整される。使用者は、夏用プロファイルを生成することができ、この場合、日よけ制御システムの各種設定が、夏の間、使用者が望む設定（例えば、冷房の効率的な使用）を与えるように調整される。使用者は、冬用プロファイルを生成することができ、この場合、日よけ制御システムの各種設定が、冬の間、使用者が望む設定（例えば、暖房の効率的な使用）を与えるように調整される。一実施形態において、システムはデフォルトプロファイルに設定され、該プロファイルは、プライバシー、温度、光、夏期冷房、冬期暖房、夜間プライバシー等のバランスをとるように構成される。一実施形態において、デフォルトプロファイルは、家屋の地理的な位置に従って日よけ制御システムにより算出される。
【００５２】
一実施形態では、制御システム６０１が、学習して適応するように構成した適応型システム（例えば、図１７参照）である。従って、例えば、制御システム６０１は、特定の日よけグループに対応する部屋の温度データが与えられると、そのグループの日よけが上下されるのに伴って室温を変化させるように適応する。
【００５３】
一実施形態において、使用者は、使用者の標準的な所望のシステム設定を含む標準プロファイルを生成することができる。プロファイルの使用により、使用者は、（例えば、コントローラ６０７、６０８を用いて）日よけ制御システムの多数の動作パラメータを、グループ毎に、部屋毎に、又は家屋全体について、迅速かつ簡単に変更できるようになる。
【００５４】
任意の数の独立したグループを、システム６００により制御できる。図７Ａは、集中制御されたゾーン型冷暖房システムのブロック図であり、中央制御システム７１０は、１つ以上のグループコントローラ７０７、７０８及び１つ以上の電動式日よけ装置７０２乃至７０５と通信する。システム７００では、グループコントローラ７０７がゾーン７１１の温度及び／又は光を測定し、電動式日よけ装置７０２、７０３がゾーン７１１への光を調節するために用いられる。グループコントローラ７０８は、ゾーン７１２の温度及び／又は光を測定し、電動式日よけ装置７０４、７０５がゾーン７１２への光を調節する。中央温度調節装置７２０は、ＨＶＡＣシステム７２１を制御する。
【００５５】
図７Ｂは、図７Ａに示すシステム７００と同様に集中制御された電動式日よけ装置システム７５０のブロック図である。図７Ｂにおいて、中央システム７１０はグループコントローラ７０７、７０８と通信し、グループコントローラ７０７は電動式日よけ装置７０２、７０３と通信し、グループコントローラ７０８は電動式日よけ装置７０４、７０５と通信する。そして中央システム７１０は電動式日よけ装置７０６、７０７と通信する。システム７５０において、電動式日よけ装置７０２乃至７０５は、各電動式日よけ装置７０２乃至７０５を制御するグループコントローラ７０７、７０８の各々に関連付けられたゾーンにある。電動式日よけ装置７０６、７０７は、特定のグループコントローラと関連付けられておらず、中央システム７１０により直接制御される。当業者には分かるように、図７Ｂに示す通信接続形態はまた、図８及び図９に示すシステムに関連して使用できる。
【００５６】
中央システム７１０は、中央制御システム６０１の実施形態の一例である。中央システム７１０はゾーン７１１及び７１２の動作を制御して調整するが、システム７１０はＨＶＡＣシステム７２１を制御しない。一実施形態において、中央システム７１０は、温度調節装置７２０とは独立に動作する。一実施形態では、中央システム７１０に対して温度調節装置７２０を設けることで、中央システム７１０は、温度調節装置が暖房、冷房、又はファンを呼び出す時点を知る。
【００５７】
中央システム７１０は、電動式日よけ装置７０２乃至７０５の動作を調整して優先順位を決める。一実施形態において、家の居住者は、ゾーンに人がいるか否か、１日のうちの時刻、１年のうちの時期等に基づいてゾーン７１１、７１２の優先スケジュールを定める。従って、例えば、ゾーン７１１が寝室に対応し、ゾーン７１２が居間に対応する場合、ゾーン７１１に対して日中は相対的に低い優先度を与え、夜間は相対的に高い優先度を与えることができる。第２の例として、ゾーン７１１が１階に対応し、ゾーン７１２が２階に対応する場合、ゾーン７１２には、夏の間、より高い優先度（上階は冷房が効き難く、異なるプライバシー要件を有するため）を与え、冬の間、より低い優先度（下階は暖房が効き難く、プライバシー保護をそれほど必要としないため）を与えることができる。一実施形態では、居住者が、各種のゾーン間で重み付けられた優先度を指定できる。
【００５８】
図８は、集中制御された電動式日よけ装置システム８００のブロック図である。システム８００はシステム７００と同様に、ゾーン７１１、７１２をそれぞれ監視するグループコントローラ７０７、７０８と、電動式日よけ装置７０２乃至７０５を含む。グループコントローラ７０７、７０８及び／又は電動式日よけ装置７０２乃至７０５は、中央制御装置８１０と通信する。システム８００において、温度調節装置７２０が中央システム８１０に対して設けられており、この中央システム８１０はＨＶＡＣシステム７２１を直接制御する。中央システム８１０は、中央制御システム６０１の実施形態の一例である。
【００５９】
図８のコントローラはまた、ＨＶＡＣシステム７２１の動作を制御するので、該コントローラは、ゾーン７１１、７１２を所望の温度に維持するために、必要に応じて冷暖房を呼び出せるようにした方がよい。家全体又は家のほぼ全てのためにグループコントローラ及び電動式日よけ装置が機能する場合には、中央温度調節装置７２０を省略できる。
【００６０】
図９は、効率を監視する、集中制御された電動式日よけ装置システム９００のブロック図である。システム９００は、システム８００と同様である。システム９００において、コントローラ９１０は、ＨＶＡＣシステム７２１からセンサデータ（例えば、システム動作温度等）を受信して、ＨＶＡＣシステム７２１の効率を監視するように構成した効率監視システムを含む。中央システム９１０は、中央制御システム６０１の実施形態の一例である。
【００６１】
図１０は、窓枠に取り付けた電動コイルで動作するように構成した電動式日よけ装置１０００のブロック図である。電動式日よけ装置１０００は、電動式日よけ装置２００の一実施形態である。電動式日よけ装置１０００は、図３に示す構成要素を含み、更に電動式日よけ装置１０００はコイル１００１を含む。コイル１００１はコントローラ３０１に対して設けられる。一実施形態において、コイル１００１は、導電性結合部３５０ａ及び導電性結合部３５０ｂを介してコントローラ３０１に対して設けられている。電動コイル１００２は窓の下枠に設けられ、日よけ１０００が窓枠へと下ろされた場合に、コイル１００１がコイル１００２の近傍に来る。一実施形態において、コイル１００２には電源１００３から交流電力が供給される。一実施形態において、電源１００３は壁のコンセントに設けられ、標準的な家庭用ＡＣ電力を受ける。日よけを下げた場合に、コイル１００１がコイル１００２と電磁的に結合して変圧器を形成することで、コイル１００２からコイル１００１に電力が供給される。コイル１００１で受け取った電力はコントローラ３０１に供給され、コントローラ３０１はその電力を任意選択的なコンデンサ３０６又は充電可能なバッテリ３０５に蓄えることができる。一実施形態では、コイル１００１、１００２の一方又は両方が、磁性体のコアを含む。一実施形態において、電動コイル１００２により生じる磁界はコイル１００１の磁気コアを引き付けて、シェード材の下部を所定位置に保持するのに役立つ。
【００６２】
一実施形態において、コイル１００２には、電源１００３により連続的に電源供給が行われる。一実施形態において、コントローラ３０１はコイル１００１に電力パルスを送出し、このパルスはその後にコイル１００２と結合し、コイル１００２により電源１００３に供給される。電源１００３は、コントローラ３０１からのパルスを検出した際に、コントローラ３０１からの電力パルスに応答してコイル１００２に電力を供給する。一実施形態において、コントローラ３０１は第２のパルスをコイル１００１へ送ってコイル１００２への電源供給を停止するよう電源１００３に指示する。
【００６３】
一実施形態では、電源１００３がコイル１００２のインピーダンスを（連続又は周期的に）検出し、コイル１００１がコイル１００２の近傍にあることを、コイル１００２のインピーダンスが示す場合に、コイル１００２に電力を供給する。
【００６４】
コイル１００２に供給される電力によって、コイル１００１の磁気コアが磁気的に引きつけられることになる。一実施形態において、モータ３０３は、このような磁気吸引力に打ち勝って日よけを上げるのに十分なトルクを提供できる。一実施形態において、コントローラ３０１は、日よけを解放してモータ３０３により日よけを上げるために、コイル１００１に逆電流パルスを送出し、コイル１００１の磁界を発生させてコイル１００２の磁界を実質的に打ち消す。一実施形態において、コントローラ３０１は、バッテリパック３０５及び／又はコンデンサ３０６からの利用可能な電力が指定値を下回った場合に、日よけ１０００を自動的に下げる。一実施形態において、システムコントローラ（例えば、コントローラ７１０、８１０、９１０等）は、バッテリパック３０５及び／又はコンデンサ３０６からの利用可能な電力が指定値よりも下回った場合に、コントローラ３０１に日よけ１０００を下げるように指示する。
【００６５】
一実施形態において、複数のコイル１００１及び／又は１００２が、シェード材２０１の下部及び窓の下枠にそれぞれ設けられる。
【００６６】
図１１は、図６乃至図９に示すシステムに関連して用いる基本的なグループコントローラ１１００のブロック図である。グループコントローラ１１００において、コントローラ１１０１に対して、任意選択で温度センサ１１０２が設けられる。コントローラ１１０１に対して、ユーザ入力制御部１１０３も設けられており、これは、使用者が日よけを選択して、日よけの開度の設定点を指定できるようにする。コントローラ１１０１には、視覚表示部１１１０が設けられている。コントローラ１１０１は、視覚表示部１１１０を用いて、現在の日よけグループ、設定点、電力状態等を表示する。またコントローラ１１０１には、通信システム１１８１が設けられている。電源４０４及び任意選択で４０５が設けられており、コントローラ１１００、つまりコントローラ１１０１、センサ１１０３、通信システム１１８１、視覚表示部１１１０に電力を供給する。
【００６７】
中央制御装置１１０１が用いられるシステムにおいて、グループコントローラ１１００が電動式日よけ装置１０００と通信するために用いる通信方法は、グループコントローラ１１００が中央制御装置と通信するために用いる通信方法と同じである必要はない。こうして、一実施形態では、通信システム１１８１は、中央制御装置との通信に１つのタイプの通信（例えば、赤外線、ラジオ周波数、超音波）を提供し、電動式日よけ装置１０００との通信に別のタイプの通信を提供するように構成される。
【００６８】
一実施形態では、グループコントローラが、バッテリ駆動式とされる。一実施形態において、グループコントローラは、標準的な照明スイッチに構成され、照明スイッチ回路から受電する。
【００６９】
図１２は、図６乃至図９に示すシステムに関連して用いる、遠隔制御部を有するグループコントローラ１２００のブロック図である。グループコントローラ１２００はグループコントローラ１１００と同様であり、温度センサ１１０３、入力制御部１１０２、視覚表示部１１１０、通信システム１１８１、電源４０４、４０５を含む。グループコントローラ１２００では、コントローラ１１０１に対して遠隔制御インターフェース５０１が設けられている。
【００７０】
一実施形態において、居住者センサ１２０１がコントローラ１１０１に対して設けられる。この居住者センサ１２０１は、例えば赤外線センサ、動き検出用センサ、超音波センサ等とされ、ゾーンに人がいる場合にこれを検知する。居住者は、ゾーンに人がいるときとゾーンに人がいないときとで、異なる温度及びプライバシーレベルをゾーンに与えるように、グループコントローラ１１０１をプログラムすることができる。一実施形態において、居住者は、１日のうちの時刻、１年のうちの時期、部屋の種類（例えば、寝室、台所等）、及び／又はゾーンに人がいるか否かに応じて、異なる温度及びプライバシーレベルをゾーンに与えるように、グループコントローラ１１０１をプログラムすることができる。一実施形態において、一群のゾーンが複合ゾーンへと組み合わされ（例えば、家全体、階全体、棟全体等のゾーン群）、中央システム６０１、８１０、９１０は、この複合ゾーンに人がいるか否かに従って、各種ゾーンの温度設定を変更する。
【００７１】
図１３は、図６、７、８、９のそれぞれのブロック６０１、７１０、８１０、９１０に示した機能にアクセスするための、集中監視ステーションコンソール１３００について一実施形態を示す。このステーション１３００は、ディスプレイ１３０１及びキーパッド１３０２を含む。居住者は、中央システム１３００及び／又はグループコントローラを用いて、光量レベルの設定やプライバシーレベル等を指定できる。一実施形態では、コンソール１３００がハードウェア機器として実施される。また一実施形態では、コンソール１３００は、ソフトウェアにより、例えばパーソナルコンピュータのコンピュータディスプレイとして実施される。一実施形態において、ブロック７１０、８１０、９１０のゾーン制御機能は、制御システムプロセッサ上で動作するコンピュータプログラムにより与えられ、該制御システムプロセッサはパーソナルコンピュータと接続されて、パーソナルコンピュータ上にコンソール１３００を提供する。一実施形態では、ブロック７１０、８１０、９１０のゾーン制御機能が、ハードウェアコンソール１３００に設けた制御システムプロセッサ上で動作するコンピュータプログラムにより提供される。一実施形態において、居住者は、インターネット、電話、携帯電話、ページャ等を用いて、中央システムに遠隔からアクセスし、１つ以上のゾーンの温度、優先度等を制御する。
【００７２】
図１４は、電動式日よけ装置又はグループコントローラ用の指令ループ処理１４００について一実施形態を示すフローチャートである。処理１４００は、電源投入ブロック１４０１から始まる。電源投入後、処理は初期化ブロック１４０２に進む。初期化後に、処理は「受信（ｌｉｓｔｅｎ）」ブロック１４０３に進み、ここで電動式日よけ装置又はグループコントローラが１つ以上の指令を受信する。判定ブロック１４０４で指令を受信したと判定されると、処理は「指令の実行」ブロック１４０５に進み、そうでなければ処理は受信待ちのブロック１４０３に戻る。
【００７３】
電動式日よけ装置について、以下の指令を含むことができる。
窓の開放、窓の閉鎖、指定された部分的な開放位置への窓の開放、センサデータ（例：光量レベル、日よけの位置等）の報告、状況報告（例：バッテリ状態、窓位置等）、その他。
【００７４】
グループコントローラについて、指令は光センサデータの報告、ステータス（状態）の報告等を含んでもよい。
【００７５】
中央システムがグループコントローラを介して電動式日よけ装置と通信するシステムにおいて、以下の指令を含むことができる。
電動式日よけ装置の数の報告、電動式日よけ装置のデータ（例：状態、位置、光等）の報告、電動式日よけ装置の窓位置の報告、電動式日よけ装置の窓位置の変更等。
【００７６】
一実施形態において、受信待ちブロック１４０３では消費電力が比較的少なく、そのため電動式日よけ装置又はグループコントローラは、受信待ちブロック１４０３及び条件分岐１４０４に対応するループに長時間とどまることができる。
【００７７】
受信待ちブロック１４０３は比較的少ない電力をもって実施できるが、スリープ（休止）ブロックはこれよりも更に少ない電力で実施できる。図１５は、電動式日よけ装置又はグループコントローラ用の指令及びセンサデータのループ処理１５００について一実施形態を示すフローチャートである。処理１５００は、電源投入ブロック１５０１から始まる。電源投入後、処理は初期化ブロック１５０２に進む。初期化後に、処理は「スリープ」ブロック１５０３に進み、ここで電動式日よけ装置又はグループコントローラが指定された期間、休止する。スリープ期間が終了すると、処理はウェイクアップ（覚醒）ブロック１５０４に進み、更に判定ブロック１５０５へと進む。判定ブロック１５０５において、障害が検出された場合には、障害の送信ブロック１５０６が実行される。処理はその後、センサブロック１５０７に進み、ここでセンサ読み取り値を取得する。センサ読み取り値の取得後に、処理は指令の受信ブロック１５０８に進む。指令が受信された場合、処理は「指令の実行」ブロック１５１０に進み、そうでなければ、処理はスリープブロック１５０３に戻る。
【００７８】
図１６は、電動式日よけ装置又はグループコントローラ用の指令及びセンサデータの報告ループ処理１６００について一実施形態を示すフローチャートである。処理１６００は、電源投入ブロック１６０１から始まる。電源投入後、処理は初期化ブロック１６０２に進む。初期化後に、処理は、障害のチェック（点検）ブロック１６０３に進む。障害が検出された場合に、判定ブロック１６０４は処理を障害の送信ブロック１６０５に進める。そうでなければ、処理はセンサブロック１６０６に進み、ここでセンサ読み取り値を取得する。１つ以上のセンサからのデータ値が評価され、センサデータが指定範囲から外れている場合、又はタイムアウト期間が経過した場合に、処理はデータ送信ブロック１６０８に進む。そうでなければ、処理はスリープブロック１６０９に進む。障害の送信ブロック１６０５又はセンサデータ送信ブロック１６０８での送信後、処理は受信待ちブロック１６１０に進み、ここで電動式日よけ装置又はグループコントローラが指令を受信する。指令が受信された場合、判定ブロックは処理を指令の実行ブロック１６１２へと進め、そうでなければ、処理はスリープブロック１６０９に進む。指令の実行ブロック１６１２を実行した後で、処理は「指令完了メッセージ」を送信し、受信待ちブロック１６１０に戻る。
【００７９】
図１４乃至図１６に示す処理フローは、機器間の相互作用の相違、及び電動式日よけ装置及び／又はグループコントローラにおける電力節約の相違を示している。当業者には分かるように、電動式日よけ装置及びグループコントローラは、センサデータ及びユーザ入力を受信し、センサデータ及びユーザ入力をゾーン制御システム内の他の機器に報告し、ゾーン制御システム内の他の機器からの指令に応答するように構成される。従って、図１４乃至図１６に示す処理フローは、説明のためのみに提示したものであって、なんら限定的なものではない。その他のデータ報告及び指令の処理ループについては、本明細書の開示を利用すれば、当業者には明らかである。
【００８０】
一実施形態において、電動式日よけ装置及び／又はグループコントローラは、センサ読み取りと次のセンサ読み取りとの間で「スリープ」する。一実施形態において、中央システム６０１は「ウェイクアップ」信号を送信する。電動式日よけ装置又はグループコントローラは、ウェイクアップ信号を受信すると、１つ以上のセンサ読み取り値を取得し、これをデジタル信号にエンコードし、センサデータを識別コードとともに送信する。
【００８１】
一実施形態において、電動式日よけ装置は双方向的であって、中央システムからの指令を受信する。従って、例えば、中央システムは電動式日よけ装置に対して以下の指令を与えることができる。
追加的な測定を行うこと、待機モードに入ること、ウェイクアップ（休止解除）すること、バッテリ状態を報告すること、ウェイクアップ間隔を変更すること、自己診断を行いその結果を報告すること等。
【００８２】
一実施形態において、電動式日よけ装置は２つのウェイクアップモード、つまり測定（及び必要な場合にはこの測定の報告）を行うための第１のウェイクアップモードと、中央システムからのコマンドを受信するための第２のウェイクアップモードを提供する。この２つのウェイクアップモード又はそれらの組み合わせについては、異なる間隔をもって発生させることができる。
【００８３】
一実施形態において、電動式日よけ装置はスペクトル拡散技術を用いてグループコントローラ及び／又は中央システムと通信する。一実施形態において、電動式日よけ装置は周波数ホッピングスペクトル拡散を用いる。一実施形態において、各電動式日よけ装置は識別コード（ＩＤ）を有しており、電動式日よけ装置は、そのＩＤを送出通信パケットに付与する。一実施形態において、無線データの受信の際に、各電動式日よけ装置は、他の電動式日よけ装置を宛先とするデータを無視する。
【００８４】
一実施形態において、電動式日よけ装置は双方向通信を行い、中央システムからのデータ及び／又は指令を受信するように構成される。従って、例えば、中央システムは電動式日よけ装置に対して、追加的な測定を行うことや、待機モードに入ること、ウェイクアップすること、バッテリ状態を報告すること、ウェイクアップ間隔を変更すること、自己診断を行いその結果を報告すること等を指示できる。一実施形態において、電動式日よけ装置は、定期的に、その一般的な動作状況及び状態（例えば、自己診断の結果、バッテリ状態等）を報告する。
【００８５】
一実施形態において、電動式日よけ装置はスペクトル拡散技術を用いて中央システムと通信する。一実施形態において、電動式日よけ装置は周波数ホッピングスペクトル拡散を用いる。一実施形態において、電動式日よけ装置はアドレス又は識別コード（ＩＤ）を有しており、これは電動式日よけ装置を他の電動式日よけ装置と区別する。電動式日よけ装置は、そのＩＤを、送出通信パケットに付与することで、当該電動式日よけ装置からの送信を中央システムが識別できる。中央システムは、電動式日よけ装置のＩＤを電動式日よけ装置に送信するデータ及び／又は指令に付与する。一実施形態において、電動式日よけ装置は、他の電動式日よけ装置を宛先とするデータ及び／又は指令を無視する。
【００８６】
一実施形態において、電動式日よけ装置、グループコントローラ、中央システム等は、９００ＭＨｚ（メガヘルツ）の周波数帯で通信する。この帯域は、建築構造物の内部及び周囲において見られる壁やその他の障害物を通して比較的良好な送信を行える。一実施形態において、電動式日よけ装置及びグループコントローラは、９００ＭＨｚ帯よりも上の帯域及び／又は下の帯域で中央システムと通信する。一実施形態において、電動式日よけ装置及びグループコントローラは、ラジオ周波数チャネルで送信する前又は送信を開始する前に、そのチャネルを受信する。チャネルが（例えば、他の中央システム、コードレス電話等の他の機器により）使用中の場合、電動式日よけ装置及び／又はグループコントローラは別のチャネルに変更する。一実施形態において、センサ及び中央システムは、無線周波数チャネルの干渉を受信し、干渉を回避する次の送信チャネルを選択するアルゴリズムを用いることで、周波数ホッピングを調整する。一実施形態において、電動式日よけ装置及び／又はグループコントローラは、中央システムからメッセージ受信の確認を受け取るまでデータを送信する。
【００８７】
周波数ホッピング無線システムは、他の干渉信号及び衝突を回避するという利点をもつ。更に、システムには、１つの周波数で連続して送信しないという規制上の利点が与えられている。チャネルホッピング送信機は、ある期間の連続送信の後、又は干渉に出会うと、周波数を変更する。これらのシステムは、高い送信電力と、帯域内スプリアス・レスポンスについての緩和された制限を有することができる。
【００８８】
一実施形態において、コントローラ３０１は、一定の周期的な間隔をもってセンサ値を読み取る。一実施形態において、コントローラ３０１は、ランダムな間隔でセンサ値を読み取る。一実施形態では、コントローラ３０１が、中央システムからのウェイクアップ信号に応答してセンサ値を読み取る。一実施形態では、コントローラ３０１が、センサ読み取りと次のセンサ読み取りの間、休止する。
【００８９】
一実施形態において、電動式日よけ装置は、ハンドシェイク型の確認を受け取るまでの間、センサデータを送信する。従って、送信後（例えば、指令ブロック１５１０、１４０５、１６１２及び／又は送信ブロック１６０５、１６０８の後）、指令又は確認が受信されない場合に休止せずに、電動式日よけ装置はそのデータを再送信して確認を待つ。電動式日よけ装置は、確認を受け取るまでの間、データの送信を続行して確認を待つ。一実施形態において、電動式日よけ装置は、ゾーン測温装置からの確認を受け付け、中央システムへのデータ転送を確認することはゾーン測温装置の責任となる。電動式日よけ装置及びゾーン測温装置の双方向通信能力によって、中央システムは、電動式日よけ装置及び／又はゾーン測温装置の動作を制御できるようになり、また、電動式日よけ装置と、ゾーン測温装置と、中央システムとの間のロバストなハンドシェイク型通信能力がもたらされる。
【００９０】
図６に示すシステム６００の一実施形態において、電動式日よけ装置は、窓温度データをグループコントローラ６０１へ送信する。グループコントローラ６０１は、窓温度を室温及び設定温度と比較し、電動式日よけを開けるべきか閉じるべきかを判定する。グループコントローラ６０１はその後、窓を開けるか又は閉じるために、電動式日よけ装置にコマンドを送信する。一実施形態において、グループコントローラ６０１は視覚表示部１１１０に窓位置を表示する。
【００９１】
図６に示すシステム６００の一実施形態において、グループコントローラ６０１は、設定点の情報と現在の室温情報を、電動式日よけ装置に送信する。電動式日よけ装置は、窓温度を室温及び設定温度と比較し、窓を開けるべきか閉じるべきかを判定する。一実施形態において、電動式日よけ装置は、窓の相対位置（例えば、開放、閉鎖、部分的な開放等）に関する情報をグループコントローラ６０１に送信する。
【００９２】
システム７００、７５０、８００、９００（集中システム）において、グループコントローラ７０７、７０８は、室温及び設定温度情報を中央システムに送信する。一実施形態において、グループコントローラ７０７、７０８はまた、温度勾配（例えば、温度上昇率又は温度低下率）の情報を中央システムに送信する。中央システムに対して温度調節装置７２０を設けたシステム、又は中央システムがＨＶＡＣシステムを制御するシステムにおいて、中央システムは、ＨＶＡＣシステムが暖房又は冷房を提供するか否かを知る。そうでない場合、中央システムは電動式日よけ装置７０２乃至７０５より与えられる窓温度情報を用いて、ＨＶＡＣシステムが暖房又は冷房を行っているか否かを判断する。一実施形態において、電動式日よけ装置は中央システムに窓温度情報を送信する。一実施形態において、電動式日よけ装置７０２乃至７０５の１つ以上に対して、電動式日よけ装置にその窓温度を送信するように指示する指令を送信することにより、中央システムは電動式日よけ装置に問い合わせる。
【００９３】
中央システムは、ＨＶＡＣシステムの利用可能な冷暖房能力に従って、またゾーンの優先度及び各ゾーンの所望の温度と実温度との差に従って、どのくらい電動式日よけ装置７０２乃至７０５を開閉すべきかを判断する。一実施形態において、居住者はグループコントローラ７０７を用いてゾーン７１１の設定点及び優先度を設定し、グループコントローラ７０８を用いてゾーン７１２の設定点及び優先度を設定するといった具合に設定を行う。一実施形態において、居住者は、中央システムコンソール１３００を用いて各ゾーンの設定点及び優先度を設定し、グループコントローラを用いて中央設定を（一時的、又は永久的に）上書きする。一実施形態において、中央コンソール１３００は、各ゾーンについて、現在の温度、設定温度、温度勾配、及び優先度を表示する。
【００９４】
一実施形態において、中央システムは、ゾーンの優先度と、ゾーンの設定温度に対するゾーンの温度に従って、ＨＶＡＣライトを各ゾーンに割り当てる。従って、例えば、一実施形態において、中央システムは、優先度が低いゾーン又はその設定温度にあるか若しくは該設定温度に比較的近いゾーンに比べて、その温度設定点にはないが比較的優先度の高いゾーンに対して、相対的に多くのＨＶＡＣライトを与える。一実施形態において、中央システムは、必要以上に多くの窓を閉めないようにし、又はこれらを部分的に閉めないようにするが、これは、窓の光が所望の最低値未満に低下しないようにするためである。
【００９５】
一実施形態において、中央システムは、各ゾーンにおける温度上昇率（又は温度下降率）を監視し、コマンドを送信して各電動式日よけ装置７０２乃至７０５の開放量を調整し、優先度の高いゾーンを所望の温度にするが、その際、優先度の低いゾーンがその設定温度から離れすぎないようにする。
【００９６】
一実施形態において、中央システムは、予測モデルを用いて電動式日よけ装置７０２乃至７０５の各々について窓の開放量を計算し、窓の開閉回数を減らすことで、モータ４０９の電力使用量を削減する。一実施形態において、中央システムはニューラルネットワークを用いて、電動式日よけ装置７０２乃至７０５の各々について所望の窓の開放量を計算する。一実施形態では、中央ＨＶＡＣシステムの能力や家屋の体積等、各種の動作パラメータが、窓の開閉の計算に用いるために中央システムにプログラムされる。一実施形態において、中央システムは適応型とされ、ＨＶＡＣシステムの動作特性及びＨＶＡＣシステムの能力を学習して、電動式日よけ装置７０２乃至７０５が開閉される際に、各ゾーンの温度を制御するように構成される。適応型学習システムでは、ある期間に亘って所望の温度が得られるように、中央システムが電動式日よけ装置を制御する際に、中央システムは、どの電動式日よけ装置をどの程度開ける必要があるのかを学習するが、これは、各ゾーンに対して所望のレベルの冷暖房を得るためである。かかる適応型の中央システムの使用は便利であり、その理由は、設置者がＨＶＡＣ動作パラメータを中央システムにプログラムする必要がないからである。一実施形態において、ＨＶＡＣシステムに異常な動作が起きた場合、例えば、１つ以上のゾーンの温度が予想どおりに変化しない場合（例えば、ＨＶＡＣシステムが適正に動作していないことや、窓又はドアが開いていること等に拠る）、中央システムが警告を発する。
【００９７】
一実施形態において、適応能力及び学習能力をもつ中央システムは、光量レベル、ＨＶＡＣシステムが暖房又は冷房を行っているか否か、外気温、ゾーン設定温度又はゾーン優先度の変更等に基づいた、異なる適応結果（例えば、異なる係数）を用いる。従って、一実施形態において、中央システムは、ＨＶＡＣシステムが冷房している場合に、第１の組の適応係数を用い、ＨＶＡＣシステムが暖房している場合に、第２の組の適応係数を用いる。一実施形態において、適応は予測モデルに基づく。一実施形態において、適応はニューラルネットワークに基づく。
【００９８】
図１７は、電動式日よけ装置を制御するための制御アルゴリズム１７００のブロック図である。限定のためではなく説明のために、ここではアルゴリズム１７００が中央システムで働くものとして説明する。しかしながら、当業者には分かるように、アルゴリズム１７００については、中央システム、グループコントローラ、又は電動式日よけ装置によって働かせることができ、あるいはアルゴリズム１７００を、中央システム、グループコントローラ、及び電動式日よけ装置に、分散させてもよい。アルゴリズム１７００において、該アルゴリズム１７００のブロック１７０１では、１つ以上のグループコントローラから設定点の光量レベルが計算ブロック１７０２に与えられる。計算ブロック１７０２は、電動式日よけ装置の設定（例えば、各電動式日よけ装置をどの程度開閉するか）について、所望の光量レベル、プライバシーレベル等に従って計算する。一実施形態では、ブロック１７０２が上記の予測モデルを用いる。一実施形態において、ブロック１７０２は、各グループについて独立に（例えば、グループ間の相互作用を考慮することなく）電動式日よけ装置の設定を計算する。一実施形態において、ブロック１７０２は、グループ間の相互作用を含む結合したゾーンの形態で、各ゾーンに対する電動式日よけ装置の設定を計算する。一実施形態において、計算ブロック１７０２は、現時点での窓の開放量を考慮することにより、そして電動式日よけ装置を開閉する際に消費される電力を最小限に抑えるように、新たな窓の開放量を計算する。
【００９９】
ブロック１７０２による日よけ設定は、ブロック１７０３において、電動式日よけ装置のモータに各々与えられ、電動式日よけは、必要であれば新しい開放位置に移動される（また、任意選択的に、ファン４０２の１つ以上が、所望の窓から更に採光するために作動する）。ブロック１７０３において新たな窓開放の設定が行われた後、処理はブロック１７０４に進み、ここで新しい測定値（例えば、温度、光、プライバシー等）がグループコントローラから取得される（新しいゾーン温度及び光量レベルは、ブロック１７０３で行われた新たな電動式日よけ装置の設定に応答したものである）。新しいゾーン温度は、ブロック１７０２の適応入力に与えられ、これはブロック１７０２が使用する予測モデルを適応させる際に用いられる。また、新しいゾーン温度は、ブロック１７０２の温度入力にも与えられ、これは新たな電動式日よけ装置の設定を計算する際に用いられる。
【０１００】
上述のように、一実施形態において、計算ブロック１７０２で用いるアルゴリズムは、現在の温度、利用可能な冷暖房、各電動式日よけ装置を通して得られる光の量等に基づいて、各グループを所望の設定にするのに必要な電動式日よけ装置の開放量を予測するように構成される。計算ブロックは、予測モデルを用いて比較的長期間に亘って、必要とされる電動式日よけ装置の開放量を計算しようとするが、その目的は、電動式日よけ装置の開閉による不必要な電力消費を削減することにある。一実施形態において、電動式日よけ装置はバッテリ駆動式とされ、従って、電動式日よけ装置の動きを少なくすることで、バッテリの使用時間が延びる。一実施形態では、ブロック１７０２がシステム及び各ゾーンの特性を学習する予測モデルを用いることで、モデル予測が時間経過につれて向上する。
【０１０１】
一実施形態において、グループコントローラは、ゾーン温度及び／又は光量レベルを、中央システム及び／又は電動式日よけ装置に対して定期的に報告する。一実施形態において、グループコントローラは、ゾーン温度を閾値により指定された指定量だけ変更した後、ゾーン温度を中央システム及び／又は電動式日よけ装置に報告する。一実施形態において、グループコントローラは、中央システム又は電動式日よけ装置からの要求指令に応じて、ゾーン温度を中央システム及び／又は電動式日よけ装置に報告する。
【０１０２】
一実施形態において、グループコントローラは、居住者が使用者制御１１０２を用いて設定温度又はゾーン優先度値を変更した場合は常に、設定温度及び／又は光量レベル、ゾーン優先度の値等を中央システム又は電動式日よけ装置に報告する。一実施形態において、グループコントローラは、中央システム又は電動式日よけ装置からの要求指令に応じて、設定温度及びゾーン優先度の値を中央システム又は電動式日よけ装置に報告する。
【０１０３】
一実施形態において、居住者は、計算ブロック１７０２が用いる温度調節装置の不感帯値（例えば、ヒステリシス値）を選択することができる。不感帯値を比較的大きくすると、ゾーン内での温度のばらつきを代償として、電動式日よけ装置の動きを減らすことができる。
【０１０４】
一実施形態において、プライバシー優先度を比較的低い優先度から比較的高い優先度に変更するために、居住者センサ１２０１が用いられる。従って、例えば、システムは、部屋又はエリアに人がいる場合において、人がいない場合よりも相対的により高いプライバシー保護が得られるように構成できる。一実施形態では、居住者センサに関連したヒステリシスに類似の値を用いることで、エリアのプライバシー設定が比較的ゆっくりと変更され、居住者センサ１２０１が検知するエリアを人が出入りした場合に、電動式日よけ装置が繰り返し上下することはなくなる。一実施形態において、システム６０１は、居住者センサ１２０１からのデータを用いて、エリアに何時、人のいる可能性があり、又はエリアに何時、人のいない可能性があるかを学習し、これに応じてプライバシー設定を変更する。
【０１０５】
一実施形態において、電動式日よけ装置は、センサデータ（例えば、窓温度、光、電力状態、位置等）を中央システム及び／又はグループコントローラに対して定期的に報告する。一実施形態において、センサデータが閾値テストに合格しなかった場合（例えば、閾値を超えるか、閾値を下回るか、閾値範囲内であるか又は閾値範囲外である等）は常に、電動式日よけ装置がセンサデータを中央システム及び／又はグループコントローラに報告する。一実施形態では、電動式日よけ装置が、中央システム又はグループコントローラからの要求指令に応答して、センサデータを中央システム及び／又はグループコントローラに報告する。
【０１０６】
一実施形態において、図７乃至図９に示す中央システムは、グループコントローラ１１００及び／又は電動式日よけ装置内に分散された形態で実施される。分散システムでは、中央システムが必ずしも区別された機器として存在する必要はなく、中央システムの機能を、グループコントローラ１１００及び／又は電動式日よけ装置に分散させることができる。従って、図７乃至図９は、分散型システムにおける該システムの概念的／計算的なモデルを提示する。例えば、分散型システムにおいて、各グループコントローラ１１００はそのゾーン優先度を知っており、分散型システム内のグループコントローラ１１００は、ゾーン間で利用可能な光、プライバシー、冷房及び暖房等を割り当てるように取り決める。分散型システムの一実施形態において、グループコントローラの１つは、他のグループコントローラからデータを収集して計算ブロック１９０２を実行するマスター温度調節装置の役割を果たす。分散型システムの一実施形態において、グループコントローラはピアツーピアで動作し、計算ブロック１９０２については、複数のグループコントローラ及び／又は電動式日よけ装置に亘って分散された形態で実行される。
【０１０７】
一実施形態において、電動式日よけ装置は、その電力状態を中央システム又はグループコントローラに報告する。一実施形態において、中央システム又はグループコントローラは、電動式日よけ装置の新たな開放量を決定する際に、この電力状態を考慮する。従って、例えば、１つのゾーンのために働く第１及び第２の電動式日よけ装置が存在し、第１の電動式日よけ装置の電力が低下していることを中央システムが把握している場合に、中央システムは第２の電動式日よけ装置を用いてそのゾーンに入る光を調整する。第１の電動式日よけ装置がファン４０２又は他の光に基づく発電機を用いて発電できる場合に、中央システムは、光をそのゾーンに入れる際に、第２の電動式日よけ装置には相対的に閉鎖した位置を指示し、相対的に多くの光が第１の電動式日よけ装置を通るようにする。
【０１０８】
一実施形態において、中央システム又はグループコントローラは日よけ装置に指示を与えて、火災報知信号に応答して日よけを開くようにする。また一実施形態において、中央システム又はグループコントローラは日よけ装置に指示を与えて、防犯用警報システムからの信号に応答して開閉させる。一実施形態において、中央システム又はグループコントローラは日よけ装置に指示を与えて、防犯用警報タイプのシステムからの窓開放、窓閉鎖、ドア開放、及び／又はドアの閉鎖信号に応答して日よけを開閉させる。一実施形態において、グループコントローラが、ネットワーク接続（例えば、インターネット接続、携帯電話接続、電話接続等）に対して設けられるが、これは、家主がブラインドを遠隔で開閉し、又は遠隔から制御システムの優先度パラメータ（例えば、プライバシー、温度、及び光についての所望の相対的な優先度、所望の温度、所望のプライバシーレベル、所望の光量レベル等）を変更できるようにするためである。一実施形態において、使用者は、ネットワークに接続されたグループコントローラを、電話又は携帯電話を介して遠隔制御できる。
【０１０９】
図１８は電動式日よけ装置の一実施形態を示し、管状モータ３０３、電源３０５としての内部バッテリ、及び電子機器モジュール１８０１を有する。電子機器モジュールは、例えば、コントローラ３０１と、任意選択でのコンデンサ３０６と、ＲＦ送受信機３０２と、任意選択でのＲＦＩＤタグ３０９を含む。
【０１１０】
図１９は電動式日よけ装置の一実施形態を示し、管状モータ３０３、電源３０５としての内部バッテリ、電子機器モジュール１８０１、フェーシア１９０１を有する。
【０１１１】
当業者には明らかなように、電動式日よけ装置が前述した実施形態の詳細に限定される訳ではなく、本発明の電動式日よけ装置については、その趣旨及び本質的な属性から逸脱することなく、他の特定の形態で具現化できる。更に、各種の省略、置き換え、変更は、本発明の趣旨から外れることなく行うことができる。例えば、具体的な実施形態を９００ＭＨｚの周波数帯との関連で説明したが、当業者には分かるように、９００ＭＨｚよりも上の周波数帯又は９００ＭＨｚよりも下の周波数帯を同様に使用できる。無線システムについては、１つ以上の周波数帯、例えば、ＨＦ帯、ＶＨＦ帯、ＵＨＦ帯、マイクロ波帯、ミリ波帯等で動作するように構成できる。スペクトル拡散以外の技術も使用できること及び／又は当該技術をスペクトル拡散に代えて使用できることも、当業者は更に認識するであろう。用いる変調については、なんら特定の変調方法に限定されず、また、用いる変調方式は、例えば、周波数変調、位相変調、振幅変調、あるいはこれらの組み合わせ等であってもよい。上記した無線通信システムの１つ以上については、有線式通信で置き換えることができる。また上記した無線通信システムの１つ以上は、電力線ネットワーク通信で置き換えてもよい。従って、実施形態の上記説明については、添付請求項及びそれらの均等物によって示す本発明の範囲内において、全ての点で例示的であって、限定的でないものとみなすべきである。
【図面の簡単な説明】
【０１１２】
【図１】窓及び冷暖房システムのための配管を有する典型的な家屋を示す図である。
【図２】窓に取り付ける電動式日よけ装置の一例を示す図である。
【図３】自給式の電動式日よけ装置のブロック図である。
【図４Ａ】太陽電池を有するフェーシアをもった電動式日よけ装置のブロック図である。
【図４Ｂ】太陽電池を有するシェード材をもった電動式日よけ装置のブロック図である。
【図５】太陽電池を有するフェーシアをもった電動式日よけ装置の一実施形態を示す図である。
【図６】１つ以上の電動式日よけ装置を制御するシステムのブロック図である。
【図７Ａ】中央制御される電動式日よけシステムのブロック図であり、中央制御システムが、１つ以上のグループコントローラ及びＨＶＡＣシステムの独立した１つ以上の電動式日よけ装置と通信する。
【図７Ｂ】中央制御される電動式日よけ装置システムのブロック図であり、中央制御システムが、１つ以上のグループコントローラと通信するとともに、グループコントローラが１つ以上の電動式日よけ装置と通信する。
【図８】中央制御される電動式日よけシステムのブロック図であり、中央制御システムが、１つ以上のグループコントローラ及び１つ以上の電動式日よけ装置と通信し、任意選択的にＨＶＡＣシステムを制御する。
【図９】効率の監視を行う、中央制御される電動式日よけシステムのブロック図であり、中央制御システムが、１つ以上のグループコントローラ及び１つ以上の電動式日よけ装置と通信し、任意選的にＨＶＡＣシステムを制御して監視する。
【図１０】窓の下枠に取り付けた電動コイルで動作するように構成した電動式日よけ装置のブロック図である。
【図１１】図６乃至図９に示すシステムに関連して使用される基本的なグループコントローラのブロック図である。
【図１２】図６乃至図９に示すシステムに関連して使用される遠隔制御部を有するグループコントローラのブロック図である。
【図１３】中央監視システムの一実施形態を示す図である。
【図１４】電動式日よけ装置又はグループコントローラのための指令ループの一実施形態を示すフローチャートである。
【図１５】電動式日よけ装置又はグループコントローラのための指令及びセンサデータのループについて一実施形態を示すフローチャートである。
【図１６】電動式日よけ装置又はグループコントローラのための指令及びセンサデータを報告するループについて一実施形態を示すフローチャートである。
【図１７】電動式日よけ装置を制御するための制御アルゴリズムのブロック図である。
【図１８】内部バッテリを有する電動式日よけ装置の一実施形態を示す図である。
【図１９】内部バッテリ及びフェーシアを有する電動式日よけ装置の一実施形態を示す図である。
【図１】
2008531879.tif 000003
【図２】
2008531879.tif 000004
【図３】
2008531879.tif 000005
【図４Ａ】
2008531879.tif 000006
【図４Ｂ】
2008531879.tif 000007
【図５】
2008531879.tif 000008
【図６】
2008531879.tif 000009
【図７Ａ】
2008531879.tif 000010
【図７Ｂ】
2008531879.tif 000011
【図８】
2008531879.tif 000012
【図９】
2008531879.tif 000013
【図１０】
2008531879.tif 000014
【図１１】
2008531879.tif 000015
【図１２】
2008531879.tif 000016
【図１３】
2008531879.tif 000017
【図１４】
2008531879.tif 000018
【図１５】
2008531879.tif 000019
【図１６】
2008531879.tif 000020
【図１７】
2008531879.tif 000021
【図１８】
2008531879.tif 000022
【図１９】
2008531879.tif 000023
【国際調査報告】
2008531879.tif 000024
2008531879.tif 000025